(57)【特許請求の範囲】
【請求項１】
椅子の座部内に設けられ、上記座部内方に収納されると共に上記座部外方へ引き出されて使用されるテーブル部を有する座部構造であって、上記テーブル部は、テーブル部本体と、上記テーブル部本体に連設された支持部とを有し、上記座部には、上記テーブル部が出没する開口部と、上記開口部に連続して、側壁部及びガイド部により画成され、テーブル部本体と上記テーブル部本体に連設された支持部を収納し得る内方空隙部とが設けられた遊技機が設置された遊技場に配置される椅子の座部構造であって、
上記テーブル部本体は、平面方形状に形成されると共に、上記支持部は上記テーブル部の端縁部に連接された所定の長さ寸法を有する複数の棒状スライド部として形成され、上記内方空隙部の側壁部と当接して上記テーブル部本体のスライドをガイドするフレーム部が設けられ、
上記ガイド部は上記棒状スライド部とスライドして当接する板状のガイド板部として形成されていることを特徴とする椅子の座部構造。
【請求項２】
上記内方空隙部は、上記テーブル部本体を収納しうるテーブル部本体収納空隙部と、上記テーブル部本体部収納空隙部に連設された上記支持部を収納しうる支持部収納空隙部とを有することを特徴とする請求項１記載の椅子の座部構造。
【請求項３】
上記テーブル部本体には、収納凹部が形成されていることを特徴とする請求項２記載の椅子の座部構造。
【請求項４】
上記テーブル部本体には、引出用取手が設けられていることを特徴とする請求項２または３のいずれか１項に記載の椅子の座部構造。
【請求項５】
上記棒状スライド部の先端部には係止部が設けられると共に、上記ガイド板部には上記係止部が係合して、上記テーブル部が座部前方に突出した状態を維持しうる係合部が設けられていることを特徴とする請求項１記載の椅子の座部構造。
【請求項６】
上記棒状スライド部は、上記座部の前後方向寸法の略半分の長さ寸法に形成されていることを特徴とする請求項１記載の椅子の座部構造。
【発明の詳細な説明】
【技術分野】
【０００１】
本発明は、椅子の座部構造に関し、特に、遊技場に配置される椅子の座部の
改良に関する。
【背景技術】
【０００２】
一般に、パチンコ機またはスロットマシン等の遊技機が多数設置されている遊技場においては、多数の並設された遊技機が島として構成されていることから、所定の幅寸法の各遊技機の前方空間内に遊技者は着座して遊技するものであり、また、遊技機間に余裕のスペースはないことから、遊技者は非常に狭い空間内で所定時間遊技を行うこととなる。
【０００３】
この場合、遊技者としては、遊技中に、種々の身の回りの小物、例えば、たばこ、ライター、小銭等を一時的に周囲に置いておきたい場合もあるが、遊技機の下端部前方に小さな幅寸法のテーブル部が設けられているのみであり、遊技者は、上記のような身の回り品を置いておく場所がなかった。
【０００４】
また、遊技機から排出されたメダル等のトークンを収納する収納箱を置いておくスペースも限られていることから、従来より、遊技場において遊技者が着座して遊技している間に、各種の身の回りの小物やトークン収納箱を一時的に収納、載置する場所を確保したい、という要請があった。
【０００５】
このような観点から、本件特許出願人は特許文献の調査を行い、以下のような文献を抽出した。即ち、特許文献１には、多目的椅子であって、椅子の座部下面に収納部が付属されており、椅子の座部下面に物品を収納できる収納用引出しを有する椅子は、特許文献１によって提案されている。
【０００６】
しかしながら、特許文献１においては、座部下面にブラケットが外付けされており、座部とブラケットによって得られた空間に収納用引出しを側方より収納して構成されているため、収納用引出しを収納した状態であっても、外部から見た際にブラケットが視認出来てしまい、椅子としての良好な外観品質を確保することは困難であった。
【０００７】
一方、特許文献２には、収納用引出しが座部内に設けられた空隙部に出没可能に配設されており、椅子としての外観品質を保持することはできる。
【０００８】
しかしながら、特許文献２のような収納用引出しは、収納用引出し動作方向以外の動作を規制しうる構造とはなっていないため、引き出す際、あるいは引き出した状態において、がたつきを生じることがあるとともに、引き出した状態でトークンが収納されたトークン収納箱等の重量物を載せることができる十分な強度は確保されておらず、遊技機用の椅子に適用することはできない。
【特許文献１】公開実用新案第平７−０２５８５５号公報
【特許文献２】公開実用新案第昭５９−００６９５６号公報
【発明の開示】
【発明が解決しようとする課題】
【０００９】
そこで、本発明は、このような従来の要請に基づくものであって、テーブルを引き出した際に、遊技用メダルなどのトークンを収納した収納箱の重量を支えることができるような強度を有すると共に椅子としての外観品質を損なわない椅子の座部構造を提供することにある。
【課題を解決するための手段】
【００１０】
上記課題達成のため、請求項１記載の発明における椅子の座部構造にあっては、椅子の座部内に設けられ、上記座部内方に収納されると共に上記座部外方へ引き出されて使用されるテーブル部を有する座部構造であって、上記テーブル部は、テーブル部本体と、上記テーブル部本体に連設された支持部とを有し、上記座部には、上記テーブル部が出没する開口部と、上記開口部に連続して上記テーブル部を座部内方に収納しうる内方空隙部と、上記テーブル部本体及び上記テーブル部本体に連設された支持部をスライド可能にガイドして上記内方空隙部を画成するガイド部とを有し、遊技機が設置された遊技場に配置される椅子の座部構造であって、上記テーブル部本体は、平面方形状に形成されると共に、上記支持部は上記テーブル部の端縁部に連接された所定の長さ寸法を有する複数の棒状スライド部として形成され、上記内方空隙部の側壁部と当接して上記テーブル部本体のスライドをガイドするフレーム部が設けられ、上記ガイド部は上記棒状スライド部とスライドして当接する板状のガイド板部として形成されていることを特徴とする。
【００１１】
従って、請求項１記載の発明における椅子の座部構造にあっては、テーブル部は押し込むことで座部の内方に収納することができると共に、テーブル部を外方へ引き出して座部より突出させることができる。また、テーブル部を引き出し及び収納する際には、テーブル部の一端に設けられた支持部の動作がガイド部によりガイドされた状態で支持される。
【００１２】
また、支持部が棒状に形成されることにより、棒状スライド部は、長さ方向全域に亘ってガイド板部によりガイドされる。
【００１３】
請求項２記載の発明にあっては、上記内方空隙部は、上記テーブル部本体を収納しうるテーブル部本体収納空隙部と、上記テーブル部本体部収納空隙部に連設された上記支持部を収納しうる支持部収納空隙部とを有することを特徴とする。
【００１４】
請求項３記載の発明にあっては、上記テーブル部本体には、収納凹部が形成されていることを特徴とする。
従って、請求項３記載の発明における椅子の座部構造にあっては、テーブル部を引き出して、テーブル部本体の収納凹部に種々の物品を置くことができる。
【００１５】
請求項４記載の発明にあっては、上記テーブル部本体には、引出用取手が設けられていることを特徴とする。
従って、請求項４記載の発明における椅子の座部構造にあっては、引出用取手に指を掛けて、容易にテーブル部を引き出すことができる。
【００１６】
請求項５記載の発明にあっては、上記棒状スライド部の先端部には係止部が設けられると共に、上記ガイド板部には上記係止部が係合して、上記テーブル部が座部前方に突出した状態を維持しうる係合部が設けられていることを特徴とする。
【００１７】
従って、請求項５記載の発明における椅子の座部構造にあっては、テーブル部を外方へ引き出した際に、上記係止部と係合部が係合する所定の位置で停止させることができる。
【００１８】
請求項６記載の発明にあっては、上記棒状スライド部は、上記座部の前後方向寸法の略半分の長さ寸法に形成されていることを特徴とする。
【００１９】
従って、請求項６記載の発明における椅子の座部構造にあっては、テーブル部を外方へ引き出した状態において、棒状スライド部を部の前後方向寸法の略半分の長さ寸法分に亘ってガイド部と接触させることができ、テーブル部とガイド部との互いの接触面積を大きくすることができる。
【発明の効果】
【００２０】
請求項１の発明にあっては、テーブル部は座部の内方に設けられた内方空隙部に収納することができると共に、テーブル部を引き出した際にはテーブル部上面に例えばペットボトル飲料、タバコ、ライター、本などの遊技者の所持する身の回りの小物を、遊技の邪魔にならないようにテーブル部上に載せておくことができる。
【００２１】
従って、請求項１の発明にあっては、座部内に小物受けを設けることができるため、例えば、遊技機が設置された遊技場に配置された場合には、限られたスペースを有効に利用して、遊技者に快適な環境で遊技を楽しんでもらうことができる。
【００２２】
テーブル部は、不要時には座部の内方に収納することができるため、収納状態においては座部の一部となり、テーブル部を有していない椅子と同等の外観品質を有することができ、収納することにより離着席動作がしやすいと共に離着席時に衣服等を引掛けることのない椅子の座部構造を提供することができる。
【００２３】
また、テーブル部を引き出し又は収納操作する際には、テーブル部の支持部は、ガイド部によってガイドされることから、テーブル部は引き出し又は収納時にがたつきがなく、スムーズに引き出し又は収納操作を行うことができる。
また、引き出したテーブル部上に、例えば、トークンを収納し所定の重量となっているトークン収納箱を載せた際にも、上記ガイド部により座部内方において支持されることから、所定の重量となっているトークン収納箱であっても確実に支持することができる。
【００２４】
さらに、請求項１及び６に記載の発明にあっては、支持部が棒状に形成されることにより、棒状スライド部は、長さ方向全域に亘ってガイド板部と当接するため、棒状スライド部の動きが充分に規制され、テーブル部の引き出し及び収納動作において、上記動作方向以外の方向へのがたつきを少なくして滑らかな動きを実現できる共に、テーブル部及び棒状スライド部の上下方向における大きな支持強度を確保することができる。
【００２５】
従って、請求項１及び６記載の発明にあっては、テーブル部の引き出し及び収納動作時に、がたつきによる煩わしさを感じることなくスムーズに操作させることができる。また、例えば遊技用メダルなどのトークンを多量に収納した収納箱を載置しても、充分に収納箱の荷重を支持することができる。
【００２６】
請求項３記載の発明にあっては、テーブル部本体を引き出して、収納凹部に小物を置くことができるため、小物を確実に収納することができ、テーブル本体を引き出し小物を収納した状態で足等がぶつかったような場合であっても、揺れにより小物がテーブル部本体から落下してしまう事態を防止できる。
【００２７】
請求項４記載の発明にあっては、引出用取手を掴んで、テーブル部を引き出すことができるため、収納状態で座の部輪郭形状と一体となったテーブル部を容易に引き出すことができる。
【００２８】
請求項５記載の発明にあっては、テーブル部を外方へ引き出した際に、テーブル部が座部の前方へ突出した状態において、上記係止部と係合部が係合する所定の位置で停止させることができるため、常にテーブル部の突出状態を確保することができ、良好な使用状態を実現することができる。
【図面の簡単な説明】
【００２９】
【図１】図１は、本発明に係る椅子の座部構造の一実施の形態を示し、椅子の座部を含めた椅子全体の斜視図である。
【図２】図２は、本発明に係る椅子の座部構造の一形態の形態を示し、テーブル部の斜視図である。
【図３】図３は、本発明に係る椅子の座部構造の一形態の形態を示し、座部本体の内部構造を示した斜視図である。
【図４】図４は、本発明に係る椅子の座部構造の一形態の形態を示し、図３におけるＩＶ‐ＩＶ線相当断面図である。
【図５】図５は、本発明に係る椅子の座部構造の一形態の形態を示し、テーブル部が収納位置にある状態での座部本体を示す斜視図である。
【図６】図６は、本発明に係る椅子の座部構造の一形態の形態を示し、テーブル部が引き出された状態にあるときの座部本体を示す斜視図である。
【発明を実施するための最良の形態】
【００３０】
以下、本発明に係る椅子の座部構造を実施の形態に基づき、図面を参照して詳細に説明する。
図１は、本実施の形態に係る椅子１０を示す。椅子１０は、下端部に円盤状
の固定板６１が取り付けられた脚部１３と、円盤状の脚部１３の上端部に水平方向に回転可能に接合固定された座部１１と、座部１１に固定フレーム（図示せず）を介して固定された背もたれ部１２とを有しており、本実施の形態にあっては、遊技場に設置される椅子として構成されている。
座部１１は、脚部１３に直接に固定されている座部本体１４と、座部本体１４の上部に固定されたクッション部４０とを有しており、全体が平面略四角形状に形成されている。
【００３１】
本実施の形態に係る椅子１０は、座部本体１４内に設けられ、上記座部本体１４内方に収納されると共に上記座部本体１４外方へ引き出されて使用されるテーブル部１５を有している。
テーブル部１５は座部本体１４に、左右方向中央位置において前方へ向かって引き出すと共に座部本体１４内へ収納することができるように設けられている。
【００３２】
図２に示すように、上記テーブル部１５は、テーブル部本体１６と、上記テーブル部本体１６に接合フレーム部３０を介して連設された支持部１７とを有している。
【００３３】
上記テーブル部本体１６は所定の厚さ寸法を有して平面略正方形状に形成されており、幅方向両側部に形成された平面状のガイドフレーム部２１、２１と、
ガイドフレーム部２１、２１の後端部側においてガイドフレーム部２１、２１の間に形成された接合フレーム部３０と、ガイドフレーム部２１、２１の前端部側においてガイドフレーム部２１、２１の間に形成された前部フレーム部２４と、前部フレーム部２４、ガイドフレーム部２１、２１及び接合フレーム部３０の間に形成された収納凹部１８とを有している。
【００３４】
ガイドフレーム部２１、２１は、前後方向両端部に突出形成された一対の凸部５２、５２と、凸部５２、５２の間に形成された内方へ幅狭となる湾曲状の凹部５３とからなる。
一対の凸部５２、５２は先端部が所定厚さ寸法を有する平面円弧状に形成されており、左右一対のガイドフレーム部２１、２１の凸部５２、５２が座部本体１４内に設けられた内方空隙部２６を形成する周面部に当接することによりテーブル部本体１６は前後方向のスライド動作をガイドする。ガイドフレーム部２１、２１の上面部には、夫々、表面を粗面としたシート状の滑止部５８が貼設されている。
【００３５】
収納凹部１８は平面略長方形状に形成され、前方壁部５４及び左右一対の側方壁部５５、５５は、平面状のガイドフレーム部２１、２１に対して直交して下降するように形成されている一方、後方壁部５６は前方へ傾斜して下降するように形成されている。
【００３６】
前部フレーム部２４には、前端部に、斜め下方に向けて突設された細幅板状の引出用取手１９と、斜め上方に突設された細幅板状の閉止板部２３とが設けられている。
【００３７】
上記支持部１７は上記テーブル部１５の接合フレーム部３０に連設された２本の所定の長さ寸法を有する棒状スライド部３１、３１として形成されている。本実施の形態においては、棒状スライド部３１は上記座部本体１４の前後方向寸法の略半分の長さ寸法に形成されている。
【００３８】
棒状スライド部３１は、全体角柱状に形成されており、各々の先端部３２は長さ方向に二つに分岐して平面Ｕ字状に形成され、長さ方向に沿った切欠部３３が設けられている。
上記棒状スライド部３１の先端部３２は先細り状に形成され、幅方向外側部には、夫々、係止部３５が設けられている。係止部３５は、２本の棒状スライド部３１の外方へ突出するように設けられており、全体三角柱状で、後端側は幅広であって突起が大きく形成されると共に先端に向うにつれて幅狭となり突起が小さくなる平面テーパ状に形成されている。
【００３９】
棒状スライド部３１、３１の接合フレーム部３０側には外側部に外方へ突出するように設けられた板状のスライドガイド部５１、５１が夫々配設されている。
【００４０】
図３〜図６に示すように、上記座部本体１４は、上方が開口した所定の厚さ寸法を有する平面方形状の略箱状に形成され、全体として合成樹脂による型成型で一体に形成されている。
座部本体１４の内部の、幅方向両側部には、多数のリブ５７が互いに直交して設けられた一対のリブ構造部５９、５９が設けられ、使用者が着座した場合の剛性を確保できるようにしている。
【００４１】
座部本体１４には、一対のリブ構造部５９、５９の間に、上記テーブル部１５が出没する開口部２５と、上記開口部２５に連続して上記テーブル部１５を座部内方に収納しうる内方空隙部２６と、上記テーブル部本体１６及び上記テーブル部本体１６に連設された支持部１７をスライド可能にガイドして上記内方空隙部２６を画成するガイド部２７とが設けられている。
【００４２】
上記内方空隙部２６は、上記テーブル部本体１６を収納しうるテーブル部本体収納空隙部２８と、上記テーブル部本体部収納空隙部２８の後端部に連設された上記支持部１７を収納しうる支持部収納空隙部２９とからなる。
【００４３】
図３及び図４に示すように、上記テーブル部本体収納空隙部２８は、座部本体１４の前部において幅方向中央に前後方向に沿って設けられている。
テーブル部本体収納空隙部２８は、テーブル部本体１６の幅寸法及び前後方向寸法と略同寸法に形成されており、全体略方形状の空隙として形成されている。
テーブル部本体収納空隙部２８は、天板部４２と、天板部４２の前端部に接合された上部被覆部４９と、天板部４２に対向して平行に配設された底面板部４８、及び上部被覆部４９に接合した配設された左右一対の側壁部５０、５０とにより画成され、テーブル部本体１６が内部に挿通可能となるようにテーブル部本体１６よりもわずかに大きく形成されている。
【００４４】
本実施の形態にあっては、底面板部４８及び側壁部５０、５０は一体形成のテーブル部支持フレーム部材６０により構成されると共に上部被覆部４９は別部材により形成され、底面板部４８、側壁部５０、５０及び上部被覆部４９はテーブル部本体１８のガイド部を構成する。
【００４５】
図４に示すように、天板部４２はテーブル本体１６を収納した場合にはテーブル部本体１６の全体を被覆できるようにテーブル部本体１６よりも大きく形成されているが、上部被覆部４９、側壁部５０、５０は天板部４２よりも短く、テーブル本体１６を支持できる長さ寸法に形成されている。
その結果、テーブル部本体収納空隙部２８の前端部には前方へ開口する開口部２５が形成されており、また、テーブル部支持フレーム部材６０の底面板部４８の後方には下方開口部４７が形成されている。
【００４６】
支持部収納空隙部２９は、テーブル部本体収納空隙部２８の後端部において、座部本体１４の前後方向に沿って連続した細長直方体状の空隙として設けられている。支持部収納空隙部２９は、上記棒状スライド部３１のスライドをガイドする板状の複数のガイド板部により画成されている。
【００４７】
ガイド板部は、座部本体１４の前後方向に沿って、所定間隔をおいて互いに平行に配設された２つの外方ガイド板部３７ａ、３７ｂ及び外方ガイド板部３７ａ、３７ｂの間の幅方向中央部に、外方ガイド板部３７ａ、３７ｂと平行に設けられた中央ガイド板部３８とを有している。
従って、本実施の形態にあっては、一方の外方ガイド板部３７ａと中央ガイド板部３８との間には一方の支持部収納空隙部２９ａが形成されると共に、他方の外方ガイド板部３７ｂと中央ガイド板部３８との間には他方の支持部収納空隙部２９ｂが形成される。
【００４８】
外方ガイド板部３７ａ、３７ｂ及び中央ガイド板部３８は座部本体１４を形成するリブ構造の一部として形成されている。外方ガイド板部３７ａ、３７ｂ及び中央ガイド板部３８の長さ寸法は、棒状スライド部３１、３１の長さ寸法と略同一に形成されると共に、外方ガイド板部３７ａ、３７ｂ及び中央ガイド板部３８の幅寸法は、棒状スライド部３１、３１の係止部３５における厚さ寸法よりもやや大きく形成されており、支持部収納空隙部２９ａ、２９ｂ内に棒状スライド部３１、３１を、スライド可能に完全に収納できるように構成されている。
【００４９】
外方ガイド板部３７ａ、３７ｂの内方壁面部には、テーブル部本体収納空隙部２８側に、テーブル部１５が引き出された場合のストッパの役割を果たす、柱状の係合部３６が突設され、係合部３６の上端部には、棒状スライド部３１の厚さ寸法よりも上方位置に、係合部３６よりも大きな長さ幅寸法の直方体状の凸部４６が設けられている。
係合部３６は、テーブル部１５のテーブル部本体１６が、開口部２５から完全に外方へ引きだされた場合の、支持部収納空隙部２９内における棒状スライド部３１の係止部３５が配置される位置に設けられている。
【００５０】
従って、テーブル部１５が引き出された場合には、棒状スライド部３１の係
止部３５が、凸部４６の下方において係合部３６に係合して引き出し動作を規制されると共に、その状態で、係止部３５が凸部４６の下面部に当接して上下方向において固定されることにより、テーブル部１５が引き出された状態における、支持部１７全体の長さ方向におけるがたつきを防止できるように構成されている。
【００５１】
中央ガイド板部３８は、隣接してリブを介して平行に配設された２枚のガイド板３８ａ、３８ｂにより構成されている。また、外方ガイド板部３７ａ、３７ｂ及び中央ガイド板部３８ａ、３８ｂの後端には後端ガイド板部３９が設けられ、支持部収納空隙部２９ａ、２９ｂを後端部側で閉塞し、棒状スライド部３１が支持部収納空隙部２９ａ、２９ｂ内に配置された場合には、棒状スライド部３１の先端部のストッパとなる。
【００５２】
外方ガイド板３７ａ、３７ｂに幅方向外方に隣接する部位には、クッション部４０を固定しうる、ゲート状の突起として形成された第一固定部４１、４１が設けられており、テーブル部本体収納空隙部２８の幅方向両側及び天板部４２の上面には、其々、爪状の係合手段を有した第二固定部４３及び第三固定部４４が設けられている。
【００５３】
以下、本実施の形態に係る椅子の座部構造の作用について図を参照して説明する。
図５に示すように、テーブル部１５が座部本体１４内に収納されている状態では、テーブル部本体１６はテーブル部本体収納空隙部２８において天板部４２に被覆されると共に、棒状スライド部３１、３１は夫々、支持部収納空隙部２９内において、先端部３２、３２は終端ガイド板部３９に当接した状態となっている。この場合において、テーブル部本体１６の前部フレーム部２４の外側面は、座部本体１４の周面部とほぼ面一の状態となり、引出用取手１９のみが前方へ突出し、閉止板部２３は開口部２５を完全に閉止している。
【００５４】
従って、本実施の形態に係る座部構造にあっては、収納状態においてテーブル部１５を有していない一般の椅子と同等の外観品質を形成することができると共に、テーブル部１５関連の突出する部位がないため、遊技者の着座、離席時における、衣服が引っ掛かる等の不具合を排除できる。
【００５５】
また、テーブル部１５の前方端部２４の下方側には、引出用取手１９が設けられていることから、必要時には、図６に示すように、引出用取手１９に指を掛けてテーブル部本体１６を容易に座部本体１４から前方へ引き出すことができる。
【００５６】
この場合、テーブル部本体１６の幅方向に形成されたガイドフレーム部２１、２１の凸部５２、５２が、  テーブル部本体収納空隙部２８を画成する左右一対の側壁部５０、５０に当接し、テーブル部本体１６の上方は天板部４２、４２により、下方は底面板部４８によりガイドされると共に、棒状スライド部３１、３１の、特に、係止部３５、３５は外方ガイド板部３７、３７に当接してガイドされることにより、テーブル部１５は上下左右方向においてガタツクことなくスムーズに引き出される。
【００５７】
また、テーブル部本体１６が外方へ完全に表出した場合には、棒状スライド部３１、３１の係止部３５、３５が外方ガイド部材３７、３７の係合部３６、３６に係合することから、テーブル部本体１６が外方に引き出された時点で引き出し動作はストップし、テーブル部１５はその状態で固定される。
【００５８】
また、係止部３５、３５は、係合部３６、３６の上部に形成された凸部４６、４６にも係合することから、テーブル部本体１６上に所定の重量の物を乗せた場合であっても、テーブル部本体１６の接合フレーム部３０を支点とした棒状スライド部３１、３１の先端部に作用する上方への回動を防止できるため、引き出したテーブル部本体１６の上下方向におけるガタツキを抑止することができる。
【００５９】
その結果、テーブル本体部１６は、上記座部本体１４の前後方向寸法の略半分の長さ寸法に形成された棒状スライド部３１、３１により、座部本体１４内においてしっかりと支持されることから、テーブル部１５を前方へ引き出すことにより、テーブル部本体１６の収納凹部１８に、例えば、飲料ボトルや携帯電話、タバコ、ライター、本等の身に付けている小物を収納することが出来ると共に、メダル等のトークンを収納した収納箱を載せた場合の荷重を十分に支持することもできる。
【００６０】
この場合、テーブル部本体１６のガイドフレーム部２１、２１の上面部には滑止部２２が設けられていることから、トークン収納箱をガイドフレーム部２１、２１上に載せた場合であっても、左右方向に滑りにくく、落下してしまう事態を有効に防止することができる。
【００６１】
テーブル部１５は椅子の座部本体１４の左右中央位置に設けられていることから、引き出した場合には、着座した遊技者の両足の間にテーブル部本体１６が突出する。従って、テーブル部１５を引き出した場合に、当該遊技者の邪魔になることはない。
【００６２】
また、テーブル部本体１６の前部フレーム部２４の上面には閉止板部２３が形成されているため、上記のようにトークン収納箱を載置した際には、上記閉止板部２３がストッパーの役割を果たし、前方へ落下してしまうことを低減することができる。
【００６３】
テーブル部１５を座部本体１４内に収納する場合には、テーブル部本体１６の前部を後方へ押し込むことにより、図５に示すように、上記同様の手順でテーブル部本体１６をテーブル部本体収納空隙部２８内に収納することができる。
【００６４】
また、テーブル部１５を座部本体１４から取り外す場合には、棒状スライド部３１には、先端部に切欠部３３が設けられていることから、テーブル部１５を強く座部本体１４の前方へ引くことにより、先端部３２は幅方向内側へ湾曲し、係止部３５と係合部３６との係合状態を解いて、取り外すことができる。
【００６５】
このように、多目的に利用できるテーブル部１５を有する椅子の座部構造１４を持つ椅子は、遊技機が並べて設置されているホールにおいて、新たにスペースを用意することなく、遊技者に対して一時的な収納場所を迅速に提供することができる。
【００６６】
上記実施の形態においては、支持部１７は、２本の棒状スライド部３１，３１に構成される場合を例を説明したが、これに限定されるものではなく、例えば板状であっても、方体形状であっても良い。また、１本のスライド部として形成されていてもよい。
【産業上の利用可能性】
【００６７】
本発明は、パチンコ又はスロットなどの遊技機用椅子が設置される遊技場において適用可能であることから、広く産業上の利用可能性を有している。
【符号の説明】
【００６８】
１０    椅子
１１    座部
１２    背もたれ部
１３    脚部
１４    座部本体
１５    テーブル部
１６    テーブル部本体
１７    支持部
１８    収納凹部
１９    引出用取手
２０    引出用取手先端部
２１    ガイドフレーム部
２３    閉止板部
２４    前部フレーム部
２５    開口部
２６    内方空隙部
２７    ガイド部
２８    テーブル部本体収納空隙部
２９    支持部収納空隙部
３０    接合フレーム部
３１    棒状スライド部
３２    先端部
３３    切欠部
３５    係止部
３６    係合部
３７    外方ガイド板部
３８    中央ガイド板部
３９    後端ガイド板部
４０    クッション部
４１    第一固定部
４２    天板部
４３    第二固定部
４４    第三固定部
４６    凸部
４７    下方開口部
４８    底面板部
４９    上部被覆部
５０    側壁部
５１    スライドガイド部
５２    凸部
５３    凹部
５４    前方壁部
５５    側方壁部
５６    後方壁部
５７    リブ
５８    滑止部
５９    リブ構造部
６０    テーブル部支持フレーム部材
【要約】 
【課題】
引き出した際に、遊技用メダルなどのトークンの重量を支えることができるような強度を有すると共に、引き出しを収納した際には、座部内に完全に収まり座部輪郭より外方に突出せず、安全で且つ美感を損なわないテーブルを有する椅子の座部構造を提供する。
【解決手段】
椅子の座部内に設けられ、上記座部内方に収納されると共に上記座部外方へ引き出されて使用されるテーブル部を有する座部構造であって、
上記テーブル部は、テーブル部本体と、上記テーブル部本体に連設された支持部とを有し、上記座部には、上記テーブル部が出没する開口部と、上記開口部に連続して上記テーブル部を座部内方に収納しうる内方空隙部と、上記テーブル部本体及び上記テーブル部本体に連設された支持部をスライド可能にガイドして上記内方空隙部を画成するガイド部とを有している。
【選択図】  図３【図１】
0005775626.tif 000002
【図２】
0005775626.tif 000003
【図３】
0005775626.tif 000004
【図４】
0005775626.tif 000005
【図５】
0005775626.tif 000006
【図６】
0005775626.tif 000007